(57)【要約】【課題】ハーネスを容易に曲げることができ、ハーネスの曲げ部を所定の曲げ角で確実に保持して、好適にハーネスを所定のルートに沿って配設することが可能なハーネスの曲げ部保持構造及びハーネスの曲げ部保持方法を提供する。【解決手段】電線束２ｂを被覆部材（ブレード）２ａで覆って形成したハーネス２の曲げ部５を、被覆部材２ａを備えることなく電線束２ｂを露出させた状態で形成する。そして、ハーネス２の曲げ部５における曲げ角θに応じて形成され、且つ半割に分割可能に形成された筒状の曲げ保持部材４を、曲げ部５の電線束２ｂを内包するように一体に設置する。【選択図】図１
2010045900.tif 000002
【特許請求の範囲】
【請求項１】
電線束を被覆部材で覆って形成したハーネスを曲げ、ハーネスの曲げ部を保持しながら所定のルートに沿って配設するためのハーネスの曲げ部保持構造であって、
ハーネスは、曲げ部が被覆部材を備えることなく電線束を露出させた状態で形成されており、
ハーネスの曲げ部における曲げ角に応じて形成され、且つ半割に分割可能に形成された筒状の曲げ保持部材を、曲げ部の電線束を内包するように一体に設置して構成されていることを特徴とするハーネスの曲げ部保持構造。
【請求項２】
請求項１記載のハーネスの曲げ部保持構造において、
曲げ保持部材と曲げ部の電線束との間に、曲げ部の電線束を内包するようにして熱収縮チューブが介装されており、
熱収縮チューブは、端部が曲げ部を挟むように配設された被覆部材の端部に固着して設けられていることを特徴とするハーネスの曲げ部保持構造。
【請求項３】
請求項１または請求項２に記載のハーネスの曲げ部保持構造において、
曲げ保持部材は、曲げ部の電線束を内包して保持する筒状の曲げ保持本体部と、この曲げ保持本体部に繋がって外側に延設され、曲げ保持部材を被取付物に固定するための固定用つば部とを備えて形成されていることを特徴とするハーネスの曲げ部保持構造。
【請求項４】
請求項１から請求項３のいずれかに記載のハーネスの曲げ部保持構造において、
曲げ保持部材を半割にした一方の曲げ保持片と他方の曲げ保持片にはそれぞれ、嵌合凸部及び／又は嵌合凹部が設けられ、
曲げ保持部材は、一方の曲げ保持片と他方の曲げ保持片が互いの嵌合凸部と嵌合凹部を嵌合させるとともに一体に接合するように形成されていることを特徴とするハーネスの曲げ部保持構造。
【請求項５】
電線束を被覆部材で覆って形成したハーネスを曲げて所定のルートに沿って配設する際に、ハーネスの曲げ部を所定の曲げ角で保持する方法であって、
ハーネスは、曲げ部が被覆部材を備えることなく電線束を露出させた状態で形成されており、
ハーネスの曲げ部を所定の曲げ角で曲げるとともに、この曲げ角に応じて形成され、且つ半割に分割可能に形成された略筒状の曲げ保持部材を、曲げ部の電線束を内包するように一体に設置することを特徴とするハーネスの曲げ部保持方法。
【請求項６】
請求項５記載のハーネスの曲げ部保持方法において、
曲げ部の電線束を内包するように熱収縮チューブをハーネスに設置し、
熱収縮チューブの端部を加熱して、曲げ部を挟むように配設された被覆部材の端部に固着させることを特徴とするハーネスの曲げ部保持方法。
【請求項７】
請求項５または請求項６に記載のハーネスの曲げ部保持方法において、
曲げ保持部材が、曲げ部の電線束を内包して保持する筒状の曲げ保持本体部と、この曲げ保持本体部に繋がって外側に延設された固定用つば部とを備えて形成され、
曲げ部の電線束を内包するように曲げ保持部材を設置するとともに、固定用つば部を被取付物に固定して、曲げ保持部材で保持したハーネスの曲げ部を被取付物の所定位置に固設することを特徴とするハーネスの曲げ部保持方法。
【発明の詳細な説明】
【技術分野】
【０００１】
本発明は、電線束を被覆部材で覆って形成したハーネスを曲げ、ハーネスの曲げ部を保持しながら所定のルートに沿って配設するためのハーネスの曲げ部保持構造及びハーネスの曲げ部保持方法に関する。
【背景技術】
【０００２】
従来、建設機械などに用いられるハーネスは、ある程度の耐摩耗性、耐油性、柔軟性を有する編組状のブレード（被覆部材）で、数本から数十本の電力ケーブルや信号ケーブルの電線（電線束）を覆って形成されている。そして、このハーネスは、クランプ部材やコネクタなどを用いて適宜曲げ、分岐、固定しながら所定のルートに沿って機体（被取付物）に組み付けられ、各種機器に接続される（例えば、特許文献１、特許文献２参照）。
【特許文献１】特開２００７−２６７４７０号公報
【特許文献２】特開２００４−３２０８３７号公報
【発明の開示】
【発明が解決しようとする課題】
【０００３】
しかしながら、例えば数十本の電線を束ねて形成した太いハーネスを９０度曲げて取り付けるような場合には、ブレードによる大きな反力が生じて曲げが困難になったり、所定の曲げ角を保持することが困難になり、所定のルートに沿ってハーネスを好適に配設できない、あるいはハーネスの配設作業（組み付け作業）に多大な時間と労力を要するという問題があった。特に、周辺の部材との干渉を避ける必要がある箇所においては、ハーネスの曲げ部が周辺の部材の近傍に配置されるため、ハーネスの配設作業に多大な時間と労力が必要になる。
【０００４】
本発明は、上記事情に鑑み、ハーネスを容易に曲げることができ、ハーネスの曲げ部を所定の曲げ角で確実に保持して、好適にハーネスを所定のルートに沿って配設することが可能なハーネスの曲げ部保持構造及びハーネスの曲げ部保持方法を提供することを目的とする。
【課題を解決するための手段】
【０００５】
上記の目的を達するために、この発明は以下の手段を提供している。
【０００６】
請求項１記載のハーネスの曲げ部保持構造は、電線束を被覆部材で覆って形成したハーネスを曲げ、ハーネスの曲げ部を保持しながら所定のルートに沿って配設するためのハーネスの曲げ部保持構造であって、ハーネスは、曲げ部が被覆部材を備えることなく電線束を露出させた状態で形成されており、ハーネスの曲げ部における曲げ角に応じて形成され、且つ半割に分割可能に形成された筒状の曲げ保持部材を、曲げ部の電線束を内包するように一体に設置して構成されていることを特徴とする。
【０００７】
請求項２記載のハーネスの曲げ部保持構造は、請求項１記載のハーネスの曲げ部保持構造において、曲げ保持部材と曲げ部の電線束との間に、曲げ部の電線束を内包するようにして熱収縮チューブが介装されており、熱収縮チューブは、端部が曲げ部を挟むように配設された被覆部材の端部に固着して設けられていることを特徴とする。
【０００８】
請求項３記載のハーネスの曲げ部保持構造は、請求項１または請求項２に記載のハーネスの曲げ部保持構造において、曲げ保持部材は、曲げ部の電線束を内包して保持する筒状の曲げ保持本体部と、この曲げ保持本体部に繋がって外側に延設され、曲げ保持部材を被取付物に固定するための固定用つば部とを備えて形成されていることを特徴とする。
【０００９】
請求項４記載のハーネスの曲げ部保持構造は、請求項１から請求項３のいずれかに記載のハーネスの曲げ部保持構造において、曲げ保持部材を半割にした一方の曲げ保持片と他方の曲げ保持片にはそれぞれ、嵌合凸部及び／又は嵌合凹部が設けられ、曲げ保持部材は、一方の曲げ保持片と他方の曲げ保持片が互いの嵌合凸部と嵌合凹部を嵌合させるとともに一体に接合するように形成されていることを特徴とする。
【００１０】
請求項５記載のハーネスの曲げ部保持方法は、電線束を被覆部材で覆って形成したハーネスを曲げて所定のルートに沿って配設する際に、ハーネスの曲げ部を所定の曲げ角で保持する方法であって、ハーネスは、曲げ部が被覆部材を備えることなく電線束を露出させた状態で形成されており、ハーネスの曲げ部を所定の曲げ角で曲げるとともに、この曲げ角に応じて形成され、且つ半割に分割可能に形成された略筒状の曲げ保持部材を、曲げ部の電線束を内包するように一体に設置することを特徴とする。
【００１１】
請求項６記載のハーネスの曲げ部保持方法は、請求項５記載のハーネスの曲げ部保持方法において、曲げ部の電線束を内包するように熱収縮チューブをハーネスに設置し、熱収縮チューブの端部を加熱して、曲げ部を挟むように配設された被覆部材の端部に固着させることを特徴とする。
【００１２】
請求項７記載のハーネスの曲げ部保持方法は、請求項５または請求項６に記載のハーネスの曲げ部保持方法において、曲げ保持部材が、曲げ部の電線束を内包して保持する筒状の曲げ保持本体部と、この曲げ保持本体部に繋がって外側に延設された固定用つば部とを備えて形成され、曲げ部の電線束を内包するように曲げ保持部材を設置するとともに、固定用つば部を被取付物に固定して、曲げ保持部材で保持したハーネスの曲げ部を被取付物の所定位置に固設することを特徴とする。
【００１３】
なお、本発明のハーネスの曲げ部保持構造及びハーネスの曲げ部保持方法において、「曲げ部」は、単にハーネスを曲げる部分だけでなく、ハーネスの電線束の一部の電線を曲げて分岐させる「分岐部」を含む。
【発明の効果】
【００１４】
請求項１記載のハーネスの曲げ部保持構造においては、ハーネスの曲げ部に被覆部材（ブレード）がないため、ハーネスを所定のルートに沿うように容易に曲げることが可能になる。そして、このように曲げ部に被覆部材がなく、電線束が露出した状態でハーネスが形成されている場合においても、半割に分割可能に形成された筒状の曲げ保持部材（一方の曲げ保持片と他方の曲げ保持片）を曲げ部の電線束を内包するように設置することで、この曲げ部の電線束を保護することが可能になる。また、このとき、曲げ保持部材がハーネスの曲げ角に応じて形成されているため、確実にハーネスの曲げ部を所定の曲げ角で保持することが可能になる。さらに、曲げ保持部材が半割に分割可能に形成されていることによって、ハーネスのルートを確定させた後でも容易に曲げ保持部材を設置することが可能になる。
【００１５】
これにより、例えば数十本の電線を束ねて形成した太いハーネスを９０度曲げて取り付けるような場合においても、容易に曲げることができ、所定の曲げ角を確実に保持することができるため、ハーネスの配設作業（組み付け作業）を容易に行うことができ、所定のルートに沿ってハーネスを好適に配設することが可能になる。
【００１６】
請求項２記載のハーネスの曲げ部保持構造においては、曲げ保持部材と曲げ部の電線束との間に、曲げ部の電線束を内包するようにして熱収縮チューブが介装されていることにより、この熱収縮チューブによって曲げ保持部材に電線束（電線）が接触して摩耗することを防止できる。また、熱収縮チューブが、その端部を被覆部材の端部に固着して設けられていることにより、例えば曲げ部を挟んで両側に配された被覆部材が軸方向にずれることを防止できる。これにより、曲げ保持部材を用いて好適にハーネスの曲げ部を保持することが可能になる。
【００１７】
請求項３記載のハーネスの曲げ部保持構造においては、曲げ保持部材が曲げ保持本体部に繋がる固定用つば部を備えて形成されているため、この固定用つば部を被取付物に取り付けて固定することにより、曲げ保持部材ひいては曲げ保持部材で保持したハーネスを容易に被取付物の所定位置に固定して設置することが可能になる。これにより、ハーネスの曲げ部を保持する曲げ保持部材を、ハーネスの曲げ部を固定する部材として兼用することが可能になり、さらに容易にハーネスを所定のルートに沿って配設することが可能になる。
【００１８】
請求項４記載のハーネスの曲げ部保持構造においては、曲げ保持部材を半割にした一方の曲げ保持片と他方の曲げ保持片にそれぞれ設けた嵌合凸部と嵌合凹部を嵌合させるという簡便な操作で、両曲げ保持片を容易に且つ強固に接合することが可能になる。これにより、曲げ部の電線束を内包するように容易に曲げ保持部材を設置することが可能になり、曲げ保持部材によって確実にハーネスの曲げ部を所定の曲げ角で保持することが可能になるとともに曲げ部の電線束を保護することが可能になる。
【００１９】
請求項５記載のハーネスの曲げ部保持方法においては、ハーネスの曲げ部に被覆部材（ブレード）がないため、ハーネスを所定のルートに沿うように容易に曲げることが可能になる。また、半割に分割可能に形成された筒状の曲げ保持部材（一方の曲げ保持片と他方の曲げ保持片）を曲げ部の電線束を内包するように設置することで、曲げ部の電線束を保護することが可能になる。さらに、曲げ保持部材がハーネスの曲げ角に応じて形成されているため、確実にハーネスの曲げ部を所定の曲げ角で保持することが可能になる。また、曲げ保持部材が半割に分割可能に形成されていることによって、ハーネスのルートを確定させた後でも容易に曲げ保持部材を設置することが可能になる。
【００２０】
これにより、例えば数十本の電線を束ねて形成した太いハーネスを９０度曲げて取り付けるような場合においても、容易に曲げることができ、所定の曲げ角を確実に保持することができるため、ハーネスの配設作業（組み付け作業）を容易に行うことができ、所定のルートに沿ってハーネスを好適に配設することが可能になる。
【００２１】
請求項６記載のハーネスの曲げ部保持方法においては、曲げ部の電線束を内包するように熱収縮チューブを設置し、曲げ部の電線束とともにこの熱収縮チューブを内包するように曲げ保持部材を設置することにより、曲げ保持部材と曲げ部の電線束との間に、熱収縮チューブを介装することが可能になる。そして、このように熱収縮チューブを介装することにより、曲げ保持部材に電線束（電線）が接触して摩耗することを防止できる。また、熱収縮チューブの端部を加熱して、その端部を被覆部材の端部に固着させることにより、例えば曲げ部を挟んで両側に配された被覆部材が軸方向にずれることを防止できる。これにより、曲げ保持部材を用いて好適にハーネスの曲げ部を保持することが可能になる。
【００２２】
請求項７記載のハーネスの曲げ部保持方法においては、曲げ保持部材が曲げ保持本体部に繋がる固定用つば部を備えて形成されているため、この固定用つば部を被取付物に取り付けて固定することにより、曲げ保持部材ひいては曲げ保持部材で保持したハーネスを容易に被取付物の所定位置に固定して設置することが可能になる。これにより、ハーネスの曲げ部を保持する曲げ保持部材を、ハーネスの曲げ部を固定する部材として兼用し、さらに容易にハーネスを所定のルートに沿って配設することが可能になる。
【発明を実施するための最良の形態】
【００２３】
以下、図１から図４を参照し、本発明の一実施形態に係るハーネスの曲げ部保持構造及びハーネスの曲げ部保持方法について説明する。ここで、本実施形態は、建設機械などに配設されるハーネスの曲げ部保持構造及びハーネスの曲げ部保持方法に関するものである。
【００２４】
本実施形態のハーネスの曲げ部保持構造Ａは、図１に示すように、適宜曲げ、分岐、固定しながら所定のルートに沿って機体（被取付物）１に組み付けられ、各種機器に接続されるハーネス２と、熱収縮チューブ３と、曲げ保持部材４とを備えて構成されている。
【００２５】
ハーネス２は、図１及び図２に示すように、ある程度の耐摩耗性、耐油性、柔軟性を有するポリアミド系繊維を用いて編組状に形成したブレード（被覆部材）２ａで、数本から数十本の電力ケーブルや信号ケーブルの電線（電線束２ｂ）を覆って形成されている。また、本実施形態のハーネス２は、図１及び図３に示すように、所定のルートに沿って配設し機体１に組み付ける際に曲げるハーネス２の曲げ部５にブレード２ａがなく、電線束２ｂを露出させた状態で形成されている。
【００２６】
熱収縮チューブ３は、例えば１００℃前後の温度で加熱すると収縮するチューブであり、図１及び図３に示すように、その内部にハーネス２を挿通させて曲げ部５の電線束２ｂを内包するように配設されている。このとき、熱収縮チューブ３は、図１及び図４に示すように、ハーネス２の曲げ部５を挟んで両側に配されたブレード２の端部２ｃ、２ｄがこの熱収縮チューブ３の端部３ａ、３ｂ側の内部に配される長さをもって形成されている。すなわち、熱収縮チューブ３は、ハーネス２の曲げ部５の周長（円弧長）よりも長く形成されている。そして、熱収縮チューブ３は、両端部３ａ、３ｂが加熱され、ブレード２の端部２ｃ、２ｄに固着して一体に設けられている。
【００２７】
曲げ保持部材４は、ブレード２ａと同等の耐摩耗性、耐油性を有し、柔軟性を有していない材質で形成されている。また、本実施形態の曲げ保持部材４は、図１及び図３に示すように、曲げ部５の電線束２ｂを内包して保持する筒状の曲げ保持本体部４ａと、この曲げ保持本体部４ａに繋がって外側に延設され、曲げ保持部材４を機体１に固定するための固定用つば部４ｂとを備えて形成されている。
【００２８】
さらに、曲げ保持部材４は、曲げ保持本体部４ａがハーネス２の曲げ部５における曲げ角θ（本実施形態では９０度）に応じて湾曲する円弧状に形成されており、この曲げ保持本体部４ａの径方向内側の側端に一端を繋げて固定用つば部４ｂが設けられている。また、曲げ保持部材４は、曲げ保持本体部４ａと固定用つば部４ｂを半割にした上側曲げ保持片（一方の曲げ保持片６）と下側曲げ保持片（他方の曲げ保持片７）とに分割可能に形成されている。そして、上側曲げ保持片６と下側曲げ保持片７の合わせ面（曲げ保持本体部４ａの合わせ面）には、上側曲げ保持片６の合わせ面に嵌合凹部６ａが、下側曲げ保持片７の合わせ面に嵌合凸部７ａがそれぞれ設けられており、上側曲げ保持片６と下側曲げ保持片７は、互いの嵌合凹部６ａと嵌合凸部７ａが嵌合することによって一体に接合されている。
【００２９】
そして、曲げ保持部材４は、このように上側曲げ保持片６と下側曲げ保持片７を一体に接合して筒状に形成された曲げ保持本体部４ａがハーネス２の曲げ部５の電線束２ｂ及び熱収縮チューブ３を内包するように設置されている。これにより、曲げ保持部材４は、電線束２ｂとの間に熱収縮チューブ３を介装した状態でハーネス２の曲げ部５に一体に設置され、このハーネス２の曲げ部５を所定の曲げ角θで保持している。
【００３０】
また、固定用つば部４ｂには、ボルト挿通孔８が形成されており、上側曲げ保持片６側からボルト挿通孔８にボルト９の軸部９ａが挿通され、このボルト９を機体１に締結することによって、曲げ保持部材４ひいては曲げ保持部材４で保持したハーネス２の曲げ部５が機体１の所定位置に固定されている。また、このとき、固定用つば部４ｂと機体１の間に円筒状のボス１０が介装され、ボルト９の軸部９ａがこのボス１０の内孔に挿通して機体１に締結されている。
【００３１】
ついで、上記構成からなるハーネスの曲げ部保持構造Ａによってハーネス２の曲げ部５を保持する方法について説明するとともに、本実施形態のハーネスの曲げ部保持構造Ａ及びハーネスの曲げ部保持方法の作用及び効果について説明する。
【００３２】
建設機械（機体１）にハーネス２を組み付ける際には、順次ハーネス２を所定のルートに沿って設置してゆく。そして、ハーネス２の曲げ設置を要する箇所に達するとともに、ハーネス２の曲げ部５のブレード２ａを切り取って電線束２ｂを露出させる。なお、ハーネス２は、予め、曲げ部５のブレード２ａをなくし電線束２ｂを露出させた状態で形成しておいてもよい。
【００３３】
ついで、ハーネス２を熱収縮チューブ３に挿通させ、この熱収縮チューブ３を曲げ部５の電線束２ｂを内包するように設置する。そして、ハーネス２の曲げ部５を所定の曲げ角θで曲げ、曲げ保持部材４の下側曲げ保持片７を曲げ部５に設置するとともに、下側曲げ保持片７と互いの嵌合凸部７ａと嵌合凹部６ｂを嵌合させ、上側曲げ保持片６を下側曲げ保持片７に一体に接合する。このとき、ハーネス２は、曲げ部５のブレード２ａが取り除かれているため、例えば数十本の電線を束ねて形成した太いハーネス２を９０度曲げて取り付けるような場合においても、容易に所定の曲げ角θで曲げることができる。また、上側曲げ保持片６と下側曲げ保持片７を一体に接合するとともに、ハーネス２の曲げ部５の曲げ角θに応じて形成した曲げ保持本体部４ａにハーネス２の曲げ部５が内包されるため、ハーネス２の曲げ部５は、曲げ保持部材４によって所定の曲げ角θに曲げた状態で保持される。
【００３４】
また、このように曲げ保持部材４を設置して曲げ部５を保持した状態で、熱収縮チューブ３が曲げ保持部材４と曲げ部５の電線束２ｂの間に介装されている。そして、この熱収縮チューブ３の端部３ａ、３ｂ側を加熱してブレード２ａの端部２ｃ、２ｄ側に固着させ、熱収縮チューブ３をハーネス２のブレード２ａに一体に固設する。このように熱収縮チューブ３をブレード２ａに固設することによって、曲げ部５を挟んで両側に配されたブレード２ａは、軸方向にずれることが防止される。
【００３５】
さらに、熱収縮チューブ３が曲げ部５の電線束２ｂを内包し、曲げ保持部材４と電線束２ｂの間に介装されていることにより、曲げ保持部材４に電線束２ｂが接触することがなく摩耗防止が図られる。
【００３６】
ついで、曲げ保持部材４の固定用つば部４ｂのボルト挿通孔８にボルト９の軸部９ａを挿通し、さらにボルト９の軸部９ａをボス１０の内孔に挿通させながら機体１に締結する。これにより、ボルト９及びボス１０に支持されて固定用つば部４ｂが機体１に取り付けられ、曲げ保持部材４ひいてはハーネス２の曲げ部５が機体１の所定位置に固定される。よって、ハーネス２の曲げ部５は、曲げ保持部材４によって所定の曲げ角θ及び配線ルートが一定に保持された状態で、また、熱収縮チューブ３によってブレード２ａの軸方向のずれ及び曲げ保持部材４と曲げ部５の電線束２ｂの摩耗を防止した状態で、容易に且つ確実に設置されることになり、ハーネス２の配設作業（組み付け作業）が容易に且つ効率的に行える。
【００３７】
さらに、このとき、曲げ保持部材４の固定用つば部４ｂが曲げ保持本体部４ａの径方向内側に設けられていることで、図１に示すように、周辺の部材１１との干渉を避ける必要がある箇所においても、空きスペースを利用して容易に曲げ保持部材４ひいてはハーネス２の曲げ部５を固定して設置することができる。
【００３８】
したがって、本実施形態のハーネスの曲げ部保持構造Ａ及びハーネスの曲げ部保持方法においては、ハーネス２の曲げ部５にブレード（被覆部材）２ａがないため、ハーネス２を所定のルートに沿うように容易に曲げることが可能になる。そして、このように曲げ部５にブレード２ａがなく、電線束２ｂが露出した状態でハーネス２が形成されている場合においても、半割に分割可能に形成された筒状の曲げ保持部材４（上側曲げ保持片６と下側曲げ保持片７）を曲げ部５の電線束２ｂを内包するように設置することで、この曲げ部５の電線束２ｂを保護することが可能になる。また、このとき、曲げ保持部材４がハーネス２の曲げ角θに応じて形成されているため、確実にハーネス２の曲げ部５を所定の曲げ角θで保持することが可能になる。
【００３９】
これにより、例えば数十本の電線を束ねて形成した太いハーネス２を９０度曲げて取り付けるような場合においても、容易に曲げることができ、所定の曲げ角θを確実に保持することができるため、ハーネス２の組み付け作業を容易に行うことができ、所定のルートに沿ってハーネス２を好適に配設することが可能になる。
【００４０】
また、曲げ保持部材４と曲げ部５の電線束２ｂとの間に、曲げ部５の電線束２ｂを内包するようにして熱収縮チューブ３が介装されていることにより、この熱収縮チューブ３によって曲げ保持部材４に電線束２ｂ（電線）が接触して摩耗することを防止できる。さらに、熱収縮チューブ３が、その端部３ａ、３ｂをブレード２ａの端部２ｃ、２ｄに固着して設けられていることにより、曲げ部５を挟んで両側に配されたブレード２ａが軸方向にずれることを防止できる。これにより、曲げ保持部材４を用いて好適にハーネス２の曲げ部５を保持することが可能になる。
【００４１】
さらに、曲げ保持部材４が曲げ保持本体部４ａに繋がる固定用つば部４ｂを備えて形成されているため、この固定用つば部４ｂを機体１に取り付けて固定することにより、曲げ保持部材４ひいては曲げ保持部材４で保持したハーネス２を容易に機体１の所定位置に固定して設置することが可能になる。これにより、ハーネス２の曲げ部５を保持する曲げ保持部材４をハーネス２の曲げ部５を固定する部材として兼用することが可能になり、さらに容易にハーネス２を所定のルートに沿って配設することが可能になる。
【００４２】
また、曲げ保持部材４を半割にした上側曲げ保持片６と下側曲げ保持片７にそれぞれ設けた嵌合凸部７ａと嵌合凹部６ａを嵌合させるという簡便な操作で、両曲げ保持片６、７を容易に且つ強固に接合することが可能になる。これにより、曲げ部５の電線束２ｂを内包するように容易に曲げ保持部材４を設置することが可能になり、曲げ保持部材４によって確実にハーネス２の曲げ部５を所定の曲げ角θで保持することが可能になるとともに曲げ部５の電線束２ｂを保護することが可能になる。
【００４３】
以上、本発明に係るハーネスの曲げ部保持構造及びハーネスの曲げ部保持方法の一実施形態について説明したが、本発明は上記の一実施形態に限定されるものではなく、その趣旨を逸脱しない範囲で適宜変更可能である。例えば、本実施形態では、曲げ保持部材４の上側曲げ保持片６と下側曲げ保持片７（一方の曲げ保持片と他方の曲げ保持片）とが、嵌合凸部７ａと嵌合凹部６ａを嵌合させることにより一体に接合されるものとしたが、上側曲げ保持片６と下側曲げ保持片７は、例えば互いの合わせ面に接着剤を塗布して一体に接合するようにしてもよく、特に接合手段を限定する必要はない。また、上側曲げ保持片６に嵌合凸部を、下側曲げ保持片７に嵌合凹部を設けてもよい。
【００４４】
また、本実施形態では、曲げ保持部材４が曲げ保持本体部４ａと固定用つば部４ｂを備えて形成され、固定用つば部４ｂに形成したボルト挿通孔８に挿通したボルト９で被取付物（機体１）に固定するものとしたが、曲げ保持部材４を、ボルト９を用いて被取付物１に取り付けることに限定する必要はなく、固定用つば部４ｂを他の手段を用いて被取付物１に固定するようにしてもよい。さらに、曲げ保持部材４は、必ずしも固定用つば部４ｂを備えていなくてもよく、曲げ保持部材４（曲げ保持本体部４ａ）を、被取付物１に固設した固定具（クリップなど）で保持させて固定したり、紐などで固縛して設置するようにしてもよい。
【００４５】
また、本実施形態では、ハーネス２を曲げ、このハーネス２の曲げ部５に曲げ保持部材４を設置した後に、曲げ保持部材４の固定用つば部４ｂを被取付物（機体１）に設置するものとしたが、本発明においては、曲げ保持部材４が半割に分割可能に形成されていることによって、ハーネス２のルートを確定させた後でも容易に曲げ保持部材４を設置することが可能である。
【００４６】
さらに、本実施形態では、ハーネス２を９０度に曲げた曲げ部５を保持するものとして説明を行った。これに対し、本発明のハーネスの曲げ部保持構造及びハーネスの曲げ部保持方法における「曲げ部」は、単にハーネス２を曲げる部分だけでなく、ハーネス２の電線束２ｂの一部の電線を曲げて分岐させる「分岐部」を含む。すなわち、本発明は、例えば図５や図６に示すように、曲げ保持部材４を、ハーネス２の分岐部５における分岐角（ハーネス２の曲げ部５における曲げ角θ）に応じて形成し、分岐部５の電線束２ｂを内包するように一体に設置してもよい。この場合においても、本実施形態と同様の効果を得ることが可能である。
【図面の簡単な説明】
【００４７】
【図１】本発明の一実施形態に係るハーネスの曲げ部保持構造を示す図である。
【図２】図１のＸ１−Ｘ１線矢視図である。
【図３】図１のＸ２−Ｘ２線矢視図である。
【図４】図１のＸ３−Ｘ３線矢視図である。
【図５】本発明の一実施形態に係るハーネスの曲げ部保持構造の変形例を示す図である。
【図６】本発明の一実施形態に係るハーネスの曲げ部保持構造の変形例を示す図である。
【符号の説明】
【００４８】
１      機体（被取付物）
２      ハーネス
２ａ    ブレード（被覆部材）
２ｂ    電線束
２ｃ    端部
２ｄ    端部
３      熱収縮チューブ
３ａ    端部
３ｂ    端部
４      曲げ保持部材
４ａ    曲げ保持本体部
４ｂ    固定用つば部
５      曲げ部
６      上側曲げ保持片（一方の曲げ保持片）
６ａ    嵌合凹部
７      下側曲げ保持片（他方の曲げ保持片）
７ａ    嵌合凸部
８      ボルト挿通孔
９      ボルト
９ａ    軸部
１０    ボス
Ａ      ハーネスの曲げ部保持構造
【図１】
2010045900.tif 000003
【図２】
2010045900.tif 000004
【図３】
2010045900.tif 000005
【図４】
2010045900.tif 000006
【図５】
2010045900.tif 000007
【図６】
2010045900.tif 000008